(57)【要約】【課題】サイズの異なる２種類のカードを使い分け、それらのカードのそれぞれを確実に位置規制してそのぐらつきを抑制する。コンタクトの損傷を防ぐ。【解決手段】筐体に前後進可能に取り付けたスライダ４の後進によってカードを排出する。カード挿入口１７をサイズの異なる２種類のカード１００，２００に共用する。スライダ４に大形カード１００を受け止める第１受面４５と小形カード２００を受け止める第２受面４７とを形成する。大形カード１００を第１受面４５とカード挿入口１７の口縁部とによって保持する。小形カード２００をスライダ４の凹入部４６で保持する。大形カード１００の挿入時に第２コンタクト３１を逃がす可動体５を、コイルばね６でスライダ４に連結する。【選択図】        図１
2004259614.tif 000002
【特許請求の範囲】
【請求項１】
筐体に前後進可能に取り付けられたスライダが、その筐体のカード挿入口を経てカード挿入空間に挿入されたカードによりカードセット位置に対応する押込位置まで移動し、そのスライダが押込位置から初期位置に向かう移動を通じてカードがカードセット位置から後方へ排出されるようになっていて、上記筐体に、カードセット位置に挿入されたカードの電極に接触するコンタクトが備わっているカードコネクタにおいて、
上記カード挿入口と上記カード挿入空間とが、厚さと幅のうちの少なくとも一方の要素の寸法が異なる大小２種類のカードに共用されるようになっていて、
上記スライダの前後２箇所に、２種類の上記カードのうちの長寸要素を備える大形カードの先端面を受け止める第１受面と短寸要素を備える小形カードの先端面を受け止める第２受面とが各別に備わり、上記カードセット位置と上記スライダの押込位置とが大形カードと小形カードとに対して別々の位置に定められていると共に、上記コンタクトが、カードセット位置に挿入された大形カードの電極に接触する第１コンタクトと、カードセット位置に挿入された小形カードの電極に接触する第２コンタクトとに分かれていることを特徴とするカードコネクタ。
【請求項２】
大形カードは、その先端面が上記第１受面に受け止められ、かつ、前後方向中間部が上記カード挿入口の口縁部に保持されることによってぐらつきが抑制されるようになっており、
カード挿入空間に挿入されてきた小形カードの先端部を収容する凹入部が上記スライダに具備され、その凹入部の奥壁面によって上記第２受面が形成されていて、小形カードは、上記凹入部に先端部が挿入されて上記第２受面に先端面が受け止められることによってぐらつきが抑制されるようになっている請求項１に記載したカードコネクタ。
【請求項３】
上記カード挿入口の縦幅及び横幅の各寸法が、小形カードの厚さ及び横幅よりも長く、かつ、大形カードの厚さ及び横幅の各寸法に見合う寸法に定められ、上記第１受面がカード挿入方向に対して垂直に形成されている上記スライダの後端面によって形成されており、
上記凹入部の縦幅及び横幅の各寸法が小形カードの厚さ及び横幅の各寸法に見合う寸法に定められている請求項２に記載したカードコネクタ。
【請求項４】
上記凹入部が上記第１受面で開口した小形カード挿入口を有し、かつ、上記第２受面が上記第１受面よりも前方に位置している請求項２又は請求項３に記載したカードコネクタ。
【請求項５】
大形カードのカードセット位置に挿入された上記大形カードの電極に接触する上記第１コンタクトが、小形カードのカードセット位置に挿入された上記小形カードの電極に接触する上記第２コンタクトよりも前側に配備されて上記スライダの移動路に突出していると共に、上記スライダの前後進時にその第１コンタクトが当該スライダと干渉することを防ぐ逃がし凹所が当該スライダに形成されている請求項４に記載したカードコネクタ。
【請求項６】
上記第２コンタクトが上記スライダの移動路に突出していると共に、大形カードが上記スライダを押し込んだときにその第２コンタクトを上記スライダの移動路の下方へ逃がしてその第２コンタクトが大形カードに接触することを防ぐコンタクト押下げ機構を備えている請求項５に記載したカードコネクタ。
【請求項７】
上記第２コンタクトは、筐体に前上がり姿勢で肩持ち状に取り付けられた弾性を備える接片部と、その接片部の自由端に設けられて小形カードの電極に接触する接点とを有し、上記コンタクト押下げ機構が上記スライダの前進移動に追従して前進する可動体を有していると共に、この可動体がその前進時に上記接片部に摺動しながら乗り上がってその接片部を下方へ撓ませることにより上記第２コンタクトを下方へ逃がすようになっている請求項６に記載したカードコネクタ。
【請求項８】
上記可動体が上記スライダよりも後側で上記筐体に前後進可能に取り付けられ、その可動体が上記スライダに弾性部材を介して連結されている請求項７に記載したカードコネクタ。
【請求項９】
上記弾性部材がコイルばねでなる請求項８に記載したカードコネクタ。
【請求項１０】
上記スライダが大形カードによって初期位置から大形カードのカードセット位置に対応する押込位置まで押し込まれたときに、上記コイルばねの弾性力と上記接片部の弾性力とがバランスして上記可動体が上記第２コンタクトの接片部に乗り上がって停止するようになっている請求項９に記載したカードコネクタ。
【請求項１１】
スライダが初期位置に位置しているときに上記弾性部材によって上記可動体に後方へ向くプリロードが付与されている請求項７ないし請求項１０のいずれか１項に記載したカードコネクタ。
【請求項１２】
上記スライダが初期位置に向けて常時弾発付勢されている請求項１１に記載したカードコネクタ。
【請求項１３】
上記スライダを大形カードのカードセット位置に対応する第１押込位置で位置決めする機能と、上記スライダを小形カードのカードセット位置に対応する第２押込位置で位置決めする機能と、第１及び第２の各押込位置でのスライダに対する押込操作によって各押込位置での位置決め状態を解除する機能とを備えたロック機構を備え、そのロック機構が、上記スライダ及び上記筐体のうちの一方側に具備されたカムと他方側に具備されてそのカムに倣うカムピンとを備えている請求項１２に記載したカードコネクタ。
【発明の詳細な説明】
【０００１】
【発明の属する技術分野】
本発明は、カードコネクタ、特にサイズの異なる２種類のカードを使い分けることのできるカードコネクタに関する。
【０００２】
【従来の技術】
従来、筐体に取り付けられたスライダが筐体のカード挿入空間に挿入されたカードによって押し込まれ、カードの排出に際してはそのスライダがばね力により後退してカードを押し出すようになっているカードコネクタが知られていた。
【０００３】
また、筐体のカード挿入空間が、厚さや横幅などのサイズの異なる２種類のカードに共用可能になっていて、それら２種類のカードを使い分けられるようにしたカードコネクタも知られていた。これらのカードコネクタの中で、後者のように２種類のカードを使い分けられるカードコネクタでは、カード挿入空間に挿入したカードのぐらつきを抑制してカードセット位置でのカード側電極とコネクタ側コンタクトとの接触安定性などを保つことのために、筐体のカード挿入口の形状に工夫を講じることによって異なる種類のカードに対する位置規制を行うようにしていた。
【０００４】
さらに、従来より、カードコネクタにおいて、カード挿入動作に所定のタイミングで連動して筐体側のコンタクトをアップローディング（上昇動作）やダウンローディング（下降動作）させることによってコンタクトの損傷などを防ぐようにしたカードコネクタも知られていた。
【０００５】
これらに対し、２種類のカードを使い分けられるカードコネクタの先行例では、各カードを、それらに共通の溝をガイドとしてカード挿入空間に挿入することにより各カードの面電極と筐体側のコンタクトとの接触圧を同等に保つようにするための対策が提案されている（たとえば特許文献１参照）。
【０００６】
また、２種類のカードを使い分けられるカードコネクタの他の先行例では、一方の種類のカードを使うときには、カードの挿入動作に連動させて板体をスライドさせることによりその板体で筐体側のコンタクトをすくい上げてカードに接触しないようにし、他方の種類のカードを使うときには、板体がスライダしないようにして筐体側のコンタクトがそのカードの電極に接触するようにしたものが提案されている（たとえば特許文献２参照）。
【０００７】
さらに他の先行例では、カード挿入空間に挿入したカードの表面に筐体側のコンタクトが擦れてカード表面が傷付くことを回避するために、カード挿入空間に挿入されたカードがカードセット位置に到達するよりも前の段階で、筐体側のコンタクトをカード挿入路の外側へ退避させるようにしたものが提案されている（たとえば特許文献３参照）。
【０００８】
【特許文献１】
特開２００１−１３５３８５号公報
【特許文献２】
実開平６−４４０５２号公報
【特許文献３】
特開平９−２２３５４３号公報
【０００９】
【発明が解決しようとする課題】
しかしながら、筐体のカード挿入空間をサイズの異なる２種類のカードに共用してそれら２種類のカードを使い分けられるようにした従来のカードコネクタにおいて、所謂ＭＳカードとＭＳＤｕｏカードとの関係に見られるように、小形のカード（ＭＳＤｕｏカード）の方が厚さ、横幅、長さにおいて大形のＭＳカードに比べて小さくなっている場合、両方のカードを使い分けるためには筐体のカード挿入口を大きい方のＭＳカードに合わせる必要があり、そうした場合、小形のＭＳＤｕｏカードの位置規制をカード挿入口を共用することによっては行うことができないという問題があった。
【００１０】
また、従来のカードコネクタのうち、カード挿入動作に所定のタイミングで連動して筐体側のコンタクトをアップローディングさせたりダウンローディングさせたりすることによってコンタクトの損傷などを防ぐようにしたものは、カードの厚さや挿入量をコンタクトのアップローディング量やダウンローディング量に単純に連動させているだけであったため、たとえばコンタクトの形状や筐体の大きさなどを変更する場合には、コンタクトのアップローディングやダウンローディングを行わせるために必要な機構部品の寸法を変更しなければならないといった面倒な作業が不可欠になり、そのことがコストアップにつながるという問題があった。
【００１１】
これらの問題点は、上掲の各先行例に記載されている技術によっては解決されない。
【００１２】
本発明は以上の問題や事情に鑑みてなされたものであり、サイズの異なる２種類のカード、特に、一方の種類のカードの厚さや横幅に比べて他方の種類のカードの厚さや横幅が小さくなっているような２種類のカードを好適に使い分けることのできる新規な構造のカードコネクタを提供することを目的とする。
【００１３】
また、本発明は、サイズの異なる２種類のカードをカード挿入空間に挿入した場合に、それらの各カードを確実に位置規制してそのぐらつきを抑制することのできるカードコネクタを提供することを目的とする。
【００１４】
さらに、本発明は、大形カードを使うときには小形カードに対応しているコンタクトの損傷などが防止され、小形カードを使うときには大形カードに対応しているコンタクトの損傷などが防止されるカードコネクタを提供することを目的とする。
【００１５】
さらに、本発明は、コンタクトのダウンローディングによってコンタクトの損傷を防ぐ場合に、コンタクトのダウンローディングに必要な機構部品の寸法を変更する必要がなくなるカードコネクタを提供することを目的とする。
【００１６】
さらに、本発明は、大形カードを使う場合も小形カードを使う場合も、所謂プッシュプッシュ操作によるカードの挿入と排出を行わせることのできるカードコネクタを提供することを目的とする。
【００１７】
【課題を解決するための手段】
本発明に係るカードコネクタは、筐体に前後進可能に取り付けられたスライダが、その筐体のカード挿入口を経てカード挿入空間に挿入されたカードによりカードセット位置に対応する押込位置まで移動し、そのスライダが押込位置から初期位置に向かう移動を通じてカードがカードセット位置から後方へ排出されるようになっていて、上記筐体に、カードセット位置に挿入されたカードの電極に接触するコンタクトが備わっている、という基本構成を備えている。
【００１８】
そして、上記カード挿入口と上記カード挿入空間とが、厚さと幅のうちの少なくとも一方の要素の寸法が異なる大小２種類のカードに共用されるようになっていて、上記スライダの前後２箇所に、２種類の上記カードのうちの長寸要素を備える大形カードの先端面を受け止める第１受面と短寸要素を備える小形カードの先端面を受け止める第２受面とが各別に備わり、上記カードセット位置と上記スライダの押込位置とが大形カードと小形カードとに対して別々の位置に定められていると共に、上記コンタクトが、カードセット位置に挿入された大形カードの電極に接触する第１コンタクトと、カードセット位置に挿入された小形カードの電極に接触する第２コンタクトとに分かれている。
【００１９】
この構成のカードコネクタによると、大形カードをカード挿入空間に挿入すると、その大形カードがスライダの第１受面を押してスライダをその大形カードのカードセット位置に対応する押込位置まで移動させるので、その大形カードの電極に第１コンタクトが接触するのに対し、小形カードをカード挿入空間に挿入すると、その小形カードがスライダの第２受面を押してスライダをその小形カードのカードセット位置に対応する押込位置まで移動させるので、その小形カードの電極に第２コンタクトが接触する。したがって、厚さと幅のうちの少なくとも一方の要素の寸法が異なる大小２種類のカードを、カード挿入空間を共用して使い分けることが可能になる。
【００２０】
本発明において、大形カードは、その先端面が上記第１受面に受け止められ、かつ、前後方向中間部が上記カード挿入口の口縁部に保持されることによってぐらつきが抑制されるようになっていることが望ましく、これによれば、カード挿入空間に挿入された大形カードがスライダの第１受面とカード挿入口の口縁部とによってぐらつかないように位置規制されるため、大形カードの電極と筐体側の第１コンタクトとの接触安定性が良好に保たれる。
【００２１】
加えて、カード挿入空間に挿入されてきた小形カードの先端部を収容する凹入部が上記スライダに具備され、その凹入部の奥壁面によって上記第２受面が形成されていて、小形カードは、上記凹入部に先端部が挿入されて上記第２受面に先端面が受け止められることによってぐらつきが抑制されるようになっていることが望ましく、これによれば、カード挿入空間に挿入された小形カードの先端部がスライダの凹入部に挿入されることによってその小形カードがぐらつかないように位置規制されるため、小形カードの電極と筐体側の第２コンタクトとの接触安定性が良好に保たれる。
【００２２】
したがって、大形カードと小形カードとを使い分ける場合に、大形カードを使うときにも小形カードを使うときにも、カードの電極と筐体側のコンタクトとの接触安定性が良好に保たれるようになる。
【００２３】
上記カード挿入口の縦幅及び横幅の各寸法が、小形カードの厚さ及び横幅よりも長く、かつ、大形カードの厚さ及び横幅の各寸法に見合う寸法に定められ、上記第１受面がカード挿入方向に対して垂直に形成されている上記スライダの後端面によって形成されており、上記凹入部の縦幅及び横幅の各寸法が小形カードの厚さ及び横幅の各寸法に見合う寸法に定められていることが望ましい。これによれば、カード挿入空間に挿入された大形カードや小形カードを機械的に位置規制してぐらつきを防ぐことが可能である。
【００２４】
本発明では、上記凹入部が上記第１受面で開口した小形カード挿入口を有し、かつ、上記第２受面が上記第１受面よりも前方に位置していることが望ましい。これによれば、第１受面、凹入部、第２受面をスライダに具備させる場合に、スライダの前後幅を短くしてそのコンパクト化を図りやすくなる。
【００２５】
本発明では、大形カードのカードセット位置に挿入された上記大形カードの電極に接触する上記第１コンタクトが、小形カードのカードセット位置に挿入された上記小形カードの電極に接触する上記第２コンタクトよりも前側に配備されて上記スライダの移動路に突出していると共に、上記スライダの前後進時にその第１コンタクトが当該スライダと干渉することを防ぐ逃がし凹所が当該スライダに形成されていることが望ましい。これによれば、小形カードを使うときにスライダが小形カードによって押し込まれても、大形カードに対応している第１コンタクトがスライダと干渉することがないので、小形カードの使用によって大形カードに対応している第１コンタクトが損傷することがない。それにもかかわらず、大形カードを使うときには、その大形カードの電極に第１コンタクトが弾接して両者の接触安定性が保たれる。
【００２６】
本発明では、上記第２コンタクトが上記スライダの移動路に突出していると共に、大形カードが上記スライダを押し込んだときにその第２コンタクトを上記スライダの移動路の下方へ逃がしてその第２コンタクトが大形カードに接触することを防ぐコンタクト押下げ機構を備えていることが望ましい。これによれば、大形カードを使うときには、コンタクト押下げ機構が小形カードに対応している第２コンタクトをスライダの移動路の下方へ逃がして大形カードに接触することを防ぐので、大形カードの使用によって小形カードに対応している第２コンタクトが損傷することがない。それにもかかわらず、小形カードを使うときには、その小形カードの電極に第２コンタクトが弾接して両者の接触安定性が保たれる。
【００２７】
本発明において、上記第２コンタクトは、筐体に前上がり姿勢で肩持ち状に取り付けられた弾性を備える接片部と、その接片部の自由端に設けられて小形カードの電極に接触する接点とを有し、上記コンタクト押下げ機構が上記スライダの前進移動に追従して前進する可動体を有していると共に、この可動体がその前進時に上記接片部に摺動しながら乗り上がってその接片部を下方へ撓ませることにより上記第２コンタクトを下方へ逃がすようになっていることが望ましい。これによれば、コンタクト押下げ機構が第２コンタクトをスライダの移動路の下方へ逃がすときに、コンタクト押下げ機構の可動体を第２コンタクトの接片部だけに接触させて接点には接触させないように構成することが可能になるので、可動体が第２コンタクトの接点に擦れてその接点を損傷するという事態が起こることを防ぐことが可能になる。
【００２８】
本発明では、上記可動体が上記スライダよりも後側で上記筐体に前後進可能に取り付けられ、その可動体が上記スライダに弾性部材を介して連結されていることが望ましく、その場合、上記弾性部材にはコイルばねを用いることが可能である。これによれば、スライダの前進移動によりコイルばねなどでなる弾性部材が引っ張られるという作用を通じて可動体がスライダに追従して前進する。
【００２９】
本発明では、上記スライダが大形カードによって初期位置から大形カードのカードセット位置に対応する押込位置まで押し込まれたときに、上記コイルばねの弾性力と上記接片部の弾性力とがバランスして上記可動体が上記第２コンタクトの接片部に乗り上がって停止するようになっていることが望ましい。これによれば、コイルばねの弾性定数や接片部の弾性力を増減調節するだけで、第２コンタクトの接片部に乗り上がって停止する可動体の停止位置を規制することが可能になる。そのため、可動体によって第２コンタクトをスライダの移動路の下方へ逃がすときのタイミングを変更したり、可動体によって第２コンタクトをスライダの移動路の下方へ逃がすという第２コンタクトのダウンローディングによってその第２コンタクトの損傷を防いだりする場合に、第２コンタクトのダウンローディングに必要な機構部品、たとえば可動体や第２コンタクトの接片部の寸法などを変更する必要がなくなる。
【００３０】
本発明では、スライダが初期位置に位置しているときに上記弾性部材によって上記可動体に後方へ向くプリロードが付与されていることが望ましい。これによれば、弾性部材の弾性定数を増減調節して可動体に付与するプリロードの大きさを適切に定めることによって、その弾性部材をカード排出のための弾性に利用することが可能になる。
【００３１】
本発明では、上記スライダが初期位置に向けて常時弾発付勢されていることが望ましい。これによれば、スライダを初期位置に向けて付勢している弾発力によってカードを排出させることが可能になる。
【００３２】
本発明では、上記スライダを大形カードのカードセット位置に対応する第１押込位置で位置決めする機能と、上記スライダを小形カードのカードセット位置に対応する第２押込位置で位置決めする機能と、第１及び第２の各押込位置でのスライダに対する押込操作によって各押込位置での位置決め状態を解除する機能とを備えたロック機構を備え、そのロック機構が、上記スライダ及び上記筐体のうちの一方側に具備されたカムと他方側に具備されてそのカムに倣うカムピンとを備えていることが望ましい。これによれば、大形カードを使うときでも小形カードを使うときでも、同じようにプッシュプッシュ操作によってカードの挿入と排出とが行われるので、サイズの異なる２種類のカードを使い分けられるものでありながら、それら２種類のカードに対して同じ操作によるカードの挿入と排出とを行うことができるようになる。
【００３３】
【発明の実施の形態】
図１は本発明の実施形態に係るカードコネクタをカバーを省略して示した概略斜視図、図２は図１のカードコネクタの要部の概略平面図、図３はスライダ４と可動体５との連結構造による作用を説明するための説明図である。
【００３４】
図１及び図２において、１は合成樹脂成形体でなるボディで、その前後２箇所に振り分けて、複数のコンタクトが横に並んだコンタクト列２，３が配備されている。前側のコンタクト列２は後述する大形カード１００に具備されている面電極に対応する第１コンタクト２１の集合でなり、後側のコンタクト列３は後述する小形カード２００に具備されている面電極に対応する第２コンタクト３１の集合でなる。
【００３５】
ボディ１には図示していない板金製のカバーが取り付けられ、そのカバーとボディ１とによって筐体が形成されて、その筐体の内部に、大形カード１００と小形カード２００とに共用されるカード挿入空間が形成される。そして、その筐体には、カード挿入空間を横切る形態で平面視略矩形の合成樹脂成形体でなるスライダ４が前後進可能に取り付けられていて、そのスライダ４の側部の腕部４１にはボディ１に取り付けられた前後に長いガイドシャフト１１が挿通されている。
したがって、スライダ４はガイドシャフト１１により案内されてカード挿入空間の内部で前後進可能である。
【００３６】
図２又は図３のように、ボディ１には、上記スライダ４と共にそのスライダ４の後側に位置する可動体５が前後進可能に取り付けられていて、この可動体５に設けられた突出部５１には、図１で説明したガイドシャフト１１が挿通されている。したがって、可動体５も、ガイドシャフト１１により案内されてカード挿入空間の内部で前後進可能である。また、上記突出部５１のばね受け突起５２に、スライダ４に具備された貫通孔４２に挿通されたコイルばね６の後端部が係止されているのに対し、そのコイルばね６の前端部が可動体４の腕部４１の前端部に係止されている。このため、可動体５がスライダ４よりも後側でそのスライダ４にコイルばね６を介して連結されている。また、可動体４の腕部４１とボディ１に一体に備わって前方に突出している突出部１２（図１参照）のばね受部１３との間に、ガイドシャフト１１に遊嵌合されたコイルばねでなるばね体１４が介在されていて、そのばね体１４によってスライダ４が常時後方に向けて弾発付勢されている。そして、上記腕部４１の後端４１ａが、ボディ１の後端に備わっている縁枠部４３に突き当たることによってスライダ４の初期位置が規制されるようになっている。
【００３７】
図１又は図２のように、上記縁枠部１６はボディ１の後端の左右２箇所に備わっていて、これら２箇所の縁枠部１６の相互間の空間がカード挿入口１７として形成されている。したがって、このカード挿入口１７から上記カード挿入空間に大形カード１００又は小形カード２００が挿入される。
【００３８】
図４はカード挿入口１７と大形カード１００及び小形カード２００との関係を示した説明図である。同図のように、大形カード１００はその厚さＴ１と横幅Ｗ１の両方が、仮想線で示した小形カード２００のそれらＴ２，Ｗ２よりも長い寸法になっていて、カード挿入口１７の縦幅及び横幅の各寸法は、小形カード２００の厚さＴ２及び横幅Ｗ２よりも長く、かつ、大形カード１００の厚さＴ１及び横幅Ｗ１の各寸法に見合う寸法に定められている。具体的には、カード挿入口１７に大形カード１００を挿入したときに、そのカード挿入口１７の口縁部によって大形カード１００の前後方向中間部が保持されて大形カード１００のぐらつきが抑制されるように、カード挿入口１７の縦幅及び横幅の各寸法が定められている。したがって、カード挿入口１７に挿入された小形カード２００のぐらつきは、そのカード挿入口１７の口縁部によっては抑制されない。なお、この実施形態において、カード挿入口１７の口縁部は、左右の縁枠部１６，１６やそれらの縁枠部１６，１６に一体に備わっている下板部１６ａ，１６ａのほか、ボディ１と共に筐体を形成している上記カバーの上板部によって形成されている。
【００３９】
図５はカード挿入空間の内部で大形カード１００がスライダ４と可動体５とによって保持されている状態を示した説明図、図６はカード挿入空間の内部で小形カード２００がスライダ４と可動体５とによって保持されている状態を示した説明図である。また、図７〜図９にスライダ４、可動体５、コンタクトなどの形状を示してある。
【００４０】
図７〜図９のように、スライダ４には、大形カード１００の先端面１０１を受け止める第１受面４５が備わっていると共に、その第１受面４５よりも前側に小形カード２００の先端面２０１を受け止める第２受面４７が備わっている。より具体的には、スライダ４に具備されてカード挿入方向Ｉに対して垂直に形成されている平坦な後端面によって第１受面４５が形成されていると共に、スライダ４にはその後端面で開口した小形カード挿入口４６ａを有する凹入部４６が備わり、その凹入部４６の奥壁面によってカード挿入方向Ｉに対して垂直な第２受面４７が形成されている。そして、凹入部４６の縦幅及び横幅の各寸法が小形カード２００の厚さＴ２及び横幅Ｗ２（図４参照）の各寸法に見合う寸法に定められている。具体的には、図９のように、凹入部４６は、小形カード２００の先端部を収容することができ、しかも、収容したときには、第２受面４７に小形カード２００の先端面２０１が受け止められることによってぐらつきが抑制されるように、凹入部４６の縦幅及び横幅の各寸法が定められている。
【００４１】
この実施形態において、スライダ４には、第１受面４５によって大形カード１００の先端面１０１が受け止められているときに、その大形カード１００の先端部に重なり合う突片４８が備わっている。また、上記凹入部４６は下方に向かって開口していて、その下向き開口がボディ１の底面によって覆われるようになっている。
【００４２】
さらに、スライダ４には、複数の溝部が横に並んだ溝群でなる逃がし凹所４８が備わっている。この逃がし凹所４８を形成している複数の溝部はスライダ４の下面から上方に向けて窪んだ形状に形成されている。この逃がし凹所４８は第１コンタクト２１や第２コンタクト３１がスライダ４と干渉することを回避するために設けられている。この点についてはさらに後述する。
【００４３】
図２、図５、図６、図７、図９などに示したように、可動体５は、ボディ１に前後方向摺動自在に重ね合わされた前後に長い左右の支持部５３，５３を備え、それらの支持部５３，５３の上面が図５又は図６のように大型カード１００や小形カード２００を支える支持面５４，５４として形成されていると共に、それらの支持部５３，５３の相互間に横架されている梁部５５には、前上がりに傾斜した押圧面５６が備わっている。
【００４４】
一方、図１又は図８のように、大形カード１００の電極に対応している第１コンタクト２１は、ボディ１の前端部に後上がり姿勢で肩持ち状に取り付けられた弾性を備える接片部２２と、その接片部２２の自由端に設けられて大形カード１００の電極に接触する接点２３とを備えている。また、図７又は図９のように、小形カード２００の電極に対応している第２コンタクト３１は、第１コンタクト２１よりも後側でボディ１に前上がり姿勢で肩持ち状に取り付けられた弾性を備える接片部３２と、その接片部３２の自由端に設けられて小形カード２００の電極に接触する接点３３とを備えている。そして、第１コンタクト２１や第２コンタクト３１はいずれもスライダ４の移動路に突出している。しかし、上記したように、スライダ４には第１コンタクト２１や第２コンタクト３１との干渉を回避するために上記逃がし凹所４８が設けられているので、スライダ４は第１コンタクト２１や第２コンタクト３１に干渉することなくそれらのコンタクト２１，３１の設置箇所を通過することが可能である。そのため、スライダ４が前後進しても、スライダ４がそれぞれのコンタクト２１，３１に干渉してそれらのコンタクト２１，３１を損傷させるという事態が起こらない。
【００４５】
図１０はロック機構７を示した概略斜視図、図１１はロック機構７に採用されているカム７１の側面図である。
【００４６】
ロック機構７は、スライダ４を大形カード１００のカードセット位置に対応する第１押込位置で位置決めする機能と、スライダ４を小形カード２００のカードセット位置に対応する第２押込位置で位置決めする機能と、第１及び第２の各押込位置でのスライダ４に対する押込操作によって各押込位置での位置決め状態を解除する機能とを発揮する。すなわち、ロック機構７は、スライダ４の腕部４１の側面に形成されたカム７１と、ボディ１側に前端部が軸支されたカムピン７２とからなる。図１１のように、カム７１は前後２箇所にそれぞれ係止部７３，７４が設定されたカム溝Ｇを備え、そのカム溝Ｇは、その起点７５がカムピン７２の初期位置とされていると共に、その起点７５から各係止部７３，７４まで延びる往路７６ａ，７７ａと、各係止部７３，７４から起点７５まで延びる復路７７ａ，７７ｂとを備えている。そして、スライダ４に１回目の押込操作が行われると、その押込量に応じて、カムピン７２が往路７６ａ又は７６ｂを移動して係止部７３又は７４に係止される。これによってスライダ４をそのときの押込位置で位置決めするというロック機能が発揮される。また、スライダ４に２回目の押込操作が行われると、係止部７３又は７４に係止していたカムピン７２が、係止部７３又は７４から離れてスライダの位置決め状態を解除するというロック解除機能が発揮され、復路７７ａ，７７ｂを移動して起点７５に復帰する。この実施形態では、カムピン７２が後側の係止部７３に係止されているときのスライダ４の位置が第１押込位置として規定され、その第１押込位置が大形カード１００のカードセット位置に対応しているのに対し、カムピン７２が前側の係止部７４に係止されているときのスライダ４の位置が第２押込位置として規定され、その第２押込位置が小形カード２００のカードセット位置に対応している。なお、カム７４は、ばね体１４によって矢印Ｆのように付勢されている腕部４１がボディ１の縁枠部１６に当たることによって起点位置が規制されるようになっている。
【００４７】
図１２は大形カード１００と小形カード２００とがそれぞれのカードセット位置に位置しているときのそれらのカード１００，２００と第１及び第２の各コンタクト２１，３１との位置関係を示しており、同図のように、大形カード１００がそのカードセット位置に位置しているときには、大形カード１００が第１コンタクト２１の接点２３との重なり箇所に位置してその接点２３に大形カード１００の電極（不図示）が弾接する。同様に、小形カード２００がそのカードセット位置に位置しているときには、小形カード２００が第２コンタクト３１の接点３３との重なり箇所に位置してその接点３３に小形カード２００の電極（不図示）が弾接する。そして、それぞれのカード１００，２００が各カードセット位置に位置するときの前後間隔Ｌ１が、図１１に示した前後の係止部７３，７４の前後間隔Ｌ２に一致している。
【００４８】
次に作用を説明する。
【００４９】
１回目の押込操作によって大形カード１００をカード挿入口１７を経てカード挿入空間に挿入すると、その先端面１０１が図７（Ａ）のようにスライダ４の第１受面４５によって受け止められる。この場合、カード挿入口１７の口縁部によって大形カード１００の前後方向中間部が保持され、しかも、大形カード１００の先端面１０１がカード挿入方向Ｉに対して垂直な第１受面４５によって受け止められるので、大形カード１００のぐらつきが抑制される。したがって、１回目の押込操作を継続して大形カード１００でスライダ４を押し込むときのカード挿入動作が安定する。
【００５０】
図７（Ａ）の状態から１回目の押込操作を継続してさらに大形カード１００を押し込むと、それによってスライダ４が押し込まれる。そして、図１１で説明した係止部７３にカムピン７２が係止されることによってスライダ４が第１押込位置で位置決めされてロック状態になり、大形カード１００はそのカードセット位置に位置する。そのため、図８（Ｂ）のように、大形カード１００が第１コンタクト２１の接点２３に乗り上がってその接点２３が大形カード１００の電極１０２に弾接する。このときにも、カード挿入口１７の口縁部によって大形カード１００の前後方向中間部が保持され、大形カード１００の先端面１０１がカード挿入方向Ｉに対して垂直な第１受面４５によって受け止められているので、大形カード１００がぐらつくということがなくなり、接点２３と電極１０２との接触状態が安定する。
【００５１】
一方、大形カード１００によってスライダ４が押し込まれる１回目の押込操作では、コイルばね６によってスライダ４に連結されている可動体５が、そのコイルばね６を介してスライダ４により引張られるので、可動体５がスライダ４に追従して前進する。そして、大形カード１００が図７（Ｂ）のように第２コンタクト３１の設置箇所を通過するときには、可動体５の押圧面５６が第２コンタクト３１の接片部３２に乗り上がってその接片部３２を下方へ撓ませることにより、接点３３を大形カード１００に擦れない位置まで下方へ逃がす。しかも、そのようにして接片部３２に押圧面５６が乗り上がった場合、押圧面５６が接点３３に乗り上がる前の段階で、接片部３２の弾性力とコイルばね６の弾性力（引張力）とがバランスするようにコイルばね６の弾性定数が定められている。したがって、大形カード１００が図８（Ｂ）に示したカードセット位置に達しても、押圧面５６は接片部３２に乗り上がったまま停止しているので、大形カード１００の挿入操作によって第２コンタクト３１が大形カード１００やスライダ４と干渉して損傷するといった事態が起こり得ない。
【００５２】
また、１回目の押込操作でスライダ４が押し込まれるときには、図８（Ａ）のように、第１コンタクト２１がスライダ４の逃がし凹所４８を通過するので、第１コンタクト２１がスライダ４と干渉して損傷するといった事態が起こらない。
【００５３】
大形カード１００がそのカードセット位置に位置している状態から２回目の押込操作が行われると、係止部７３に係止していたカムピン７２がその係止部７３から離れてスライダ４の位置決め状態を解除するので、ばね体１４の付勢によりスライダ４が後退して初期位置に復帰する。このときには、カムピン７２がカム溝Ｇの復路７７ａを移動して起点７５に復帰する。
【００５４】
したがって、この実施形態では、大形カード１００の挿入と排出を、２回の押込操作、すなわちプッシュプッシュ操作によって行うことが可能である。
【００５５】
他方、１回目の押込操作によって小形カード２００をカード挿入口１７を経てカード挿入空間に挿入すると、その先端部が図９（Ａ）のようにスライダ４の凹入部４６に挿入されてその先端面２０１が第２受面４７によって受け止められる。この場合、小形カード２００がカード挿入口１７の口縁部によって保持されることはないけれども、その先端部が凹入部４６に収容され、しかも、先端面２０１がカード挿入方向Ｉに対して垂直な第２受面４７によって受け止められるので、小形カード２００のぐらつきが抑制される。したがって、１回目の押込操作を継続して小形カード２００でスライダ４を押し込むときのカード挿入動作が安定する。
【００５６】
図９（Ａ）の状態から１回目の押込操作を継続してさらに小形カード２００を押し込むと、それによってスライダ４が押し込まれる。そして、図１１で説明した係止部７４にカムピン７２が係止されることによってスライダ４が第２押込位置で位置決めされてロック状態になり、小形カード２００はそのカードセット位置に位置する。そのため、図９（Ｂ）のように、小形カード２００が第２コンタクト３１の接点３３に乗り上がってその接点３３が小形カード２００の電極２０２に弾接する。このときにも、凹入部４６と第２受面４７とによって小形カード２００のぐらつきが抑制されているので、接点３３と電極２０２との接触状態が安定する。
【００５７】
また、１回目の押込操作でスライダ４が押し込まれるときには、第２コンタクト３１がスライダ４の逃がし凹所４８を通過する途中で、その第２コンタクト３１の接点３３に小形カード２００が乗り上がるので、第２コンタクト３１がスライダ４と干渉して損傷するといった事態が起こらない。
【００５８】
小形カード２００がそのカードセット位置に位置している状態から２回目の押込操作が行われると、係止部７４に係止していたカムピン７２がその係止部７４から離れてスライダ４の位置決め状態を解除するので、ばね体１４の付勢によりスライダ４が後退して初期位置に復帰する。このときには、カムピン７２がカム溝Ｇの復路７７ｂを移動して起点７５に復帰する。
【００５９】
したがって、この実施形態では、小形カード２００の挿入と排出も、２回の押込操作、すなわちプッシュプッシュ操作によって行うことが可能である。
【００６０】
上記した実施形態において、可動体５は、大形カード１００が第２コンタクト３１の設置箇所を通過するときにその第２コンタクト３１を大形カード１００に干渉しない位置まで逃がす機能を発揮する。また、この可動体５の押圧面５６の停止位置は、接片部３２の弾性力とコイルばね６の弾性力とがバランスするときのタイミングで定まる。したがって、接片部３２の弾性力を変更せずにコイルばね６の弾性力を大きくすると、接片部３２が前上がりに傾斜しているために押圧面５６の停止位置が前方に移行し、その逆に、接片部３２の弾性力を変更せずにコイルばね６の弾性力を小さくすると、押圧面５６の停止位置が後方に移行する。また、コイルばね６の弾性力を変更せずに、接片部３２の弾性力や傾斜角度を変更することによっても、押圧面５６の停止位置を前方や後方に移行させることができる。このことから、コイルばね６の弾性定数や接片部３２の弾性力などを増減調節するだけで、接片部３２に乗り上がって停止する押圧面５６の停止位置を規制することが可能になる。そのため、可動体５によって第２コンタクト３１をスライダ４や大形カード１００の移動路の下方へ逃がすときのタイミングを変更したり、可動体５によって第２コンタクト３１をスライダ４や大形カード１００の移動路の下方へ逃がすという第２コンタクト３１のダウンローディングによってその第２コンタクト３１の損傷を防いだりする場合に、第２コンタクト３１のダウンローディングに必要な機構部品、たとえば可動体５や第２コンタクト３１の接片部３２の寸法などを変更する必要がなくなるという利点がある。
【００６１】
ところで、上記実施形態において、スライダ４が初期位置に位置しているときにコイルばね６によって可動体５に後方へ向くプリロードを付与しておくことが可能であり、そのようにしておくと、コイルばね６の弾性定数（弾性力）を増減調節して可動体５に付与するプリロードの大きさを適切に定めることによって、そのコイルばね６の弾性をカード排出のための弾性に利用することが可能である。
【００６２】
以上説明した実施形態のカードコネクタにおいて、可動体５は、大形カード１００がスライダ４を押し込んだときに第２コンタクト３１をスライダ４の移動路の下方へ逃がしてその第２コンタクト３１が大形カード１００に接触することを防ぐコンタクト押下げ機構を形成している。また、コイルばね６は、可動体５をがスライダ４に連結している弾性部材の一例である。
【００６３】
【発明の効果】
以上のように、本発明に係るカートコネクタは、サイズの異なる２種類のカード、特に、一方の種類のカードの厚さや横幅に比べて他方の種類のカードの厚さや横幅が小さくなっているような２種類のカードを使い分けることができるというだけにとどまらず、サイズの異なる２種類のカードのそれぞれを確実に位置規制してそのぐらつきを抑制することが可能であり、しかも、大形カードを使うときには小形カードに対応しているコンタクトの損傷などが防止され、小形カードを使うときには大形カードに対応しているコンタクトの損傷などが防止されるようになる、という卓効が奏される。また、コンタクトのダウンローディングによってコンタクトの損傷を防ぐ場合に、コンタクトのダウンローディングに必要な機構部品の寸法を変更する必要がなくなるという効果や、大形カードを使う場合も小形カードを使う場合も、所謂プッシュプッシュ操作によるカードの挿入と排出を行わせることができるようになるという効果が奏される。
【図面の簡単な説明】
【図１】本発明の実施形態に係るカードコネクタをカバーを省略して示した概略斜視図である。
【図２】図１のカードコネクタの要部の概略平面図である。
【図３】スライダと可動体との連結構造による作用を説明するための説明図である。
【図４】カード挿入口と大形カード及び小形カードとの関係を示した説明図である。
【図５】カード挿入空間の内部で大形カードがスライダと可動体とによって保持されている状態を示した説明図である。
【図６】カード挿入空間の内部で小形カードがスライダと可動体とによって保持されている状態を示した説明図である。
【図７】（Ａ）は大形カードの挿入初期段階の要部縦断側面図、（Ｂ）は可動体が第２コンタクトを撓ませている状態を示した要部縦断側面図である。
【図８】（Ａ）は第１コンタクトがスライダの逃がし凹所に位置している状態を示した要部縦断側面図、（Ｂ）は大形カードがそのカードセット位置に位置している状態を示した要部縦断側面図である。
【図９】（Ａ）は小形カードの挿入初期段階の要部縦断側面図、（Ｂ）は小形カードがそのカードセット位置に位置している状態を示した要部縦断側面図である。
【図１０】ロック機構を示した概略斜視図である。
【図１１】ロック機構に採用されているカムの側面図である。
【図１２】カードセット位置に位置している大形カード及び小形カードと第１及び第２の各コンタクトとの位置関係を示した説明図である。
【符号の説明】
４  スライダ
５  可動体
６  コイルばね（弾性部材）
７  ロック機構
１７  カード挿入口
２１  第１コンタクト
３１  第２コンタクト
３２  第２コンタクトの接片部
３３  第２コンタクトの接点
４５  第１受面
４６  凹入部
４６ａ  小形カード挿入口
４７  第２受面
４８  逃がし凹所
７１  カム
７２  カムピン
１００  大形カード
１０１  大形カードの先端面
１０２  大形カードの電極
２００  小形カード
２０１  小形カードの先端面
２０２  小形カードの電極
Ｔ１  大形カードの厚さ
Ｔ２  小形カードの厚さ
Ｗ１  大形カードの横幅
Ｗ２  小形カードの横幅
【図１】
2004259614.tif 000003
【図２】
2004259614.tif 000004
【図３】
2004259614.tif 000005
【図４】
2004259614.tif 000006
【図５】
2004259614.tif 000007
【図６】
2004259614.tif 000008
【図７】
2004259614.tif 000009
【図８】
2004259614.tif 000010
【図９】
2004259614.tif 000011
【図１０】
2004259614.tif 000012
【図１１】
2004259614.tif 000013
【図１２】
2004259614.tif 000014